(57)【要約】【課題】  屋外での突然の雨や、冷たい風からベビーカー使用中の乳幼児を保護するため、ベビーカーの居住空間全体を覆うレインカバーを簡便に装着することができ、使用後は簡単に収納可能であり、外出時に持参忘れの心配がないようにしたレインカバー装置を得ること。【解決手段】  ベビーカー本体に装着される幌２１の後部に、上記幌２１に被せてベビーカー本体を覆うことができるようにしたレインカバー２３を収納する、レインカバー収納用のポケット２２を設けた。【選択図】  図１
2007062437.tif 000002
【特許請求の範囲】
【請求項１】
ベビーカー本体に装着される幌の後部に、上記幌に被せてベビーカー本体を覆うことができるようにしたレインカバーを収納する、レインカバー収納用のポケットを設けたことを特徴とする、ベビーカー用レインカバー装置。
【請求項２】
レインカバーは、ベビーカーに乗っている乳幼児の上方部及び前面部を覆う上面カバー部及び前面カバー部、その上面カバー部と前面カバー部に連接されベビーカー本体の左右両側面を覆う側面カバー部、及びベビーカー本体の背面を覆う背面カバーとを有し、上記背面カバーの左右両側縁部が前記側面カバーの後端縁部に着脱可能とされていることを特徴とする、請求項１記載のベビーカー用レインカバー装置。
【請求項３】
レインカバーの上記背面カバーの内面側が、レインカバー収納用のポケットの内部に接続されていることを特徴とする、請求項１または２記載のベビーカー用レインカバー装置。
【請求項４】
レインカバーの上記背面カバーに設けられている接続片が、レインカバー収納用のポケットの内部に着脱可能としてあることを特徴とする、請求項１乃至３のいずれかに記載のベビーカー用レインカバー装置。
【請求項５】
レインカバーの上記背面カバーに設けられている接続片は、レインカバー収納用のポケットの内部にファスナーにより着脱可能としてあることを特徴とする、請求項４記載のベビーカー用レインカバー装置。
【発明の詳細な説明】
【技術分野】
【０００１】
本発明は、ベビーカー本体に対して装着可能なレインカバーに係り、特にそのレインカバーの携帯を便利にしたベビーカー用レインカバー装置に関する。
【背景技術】
【０００２】
一般に、乳幼児を乗せるベビーカーを雨天時に使用する場合には、ベビーカー本体にレインカバーを被せて乳幼児の保護を行うことが行われている。しかしながら、上記レインカバーは雨天時等においてのみ使用するものであり、ベビーカーの使用時に常時使用するものでないため、レインカバーの不使用時にはそのレインカバーを別の場所に保管することが必要であり、収納場所を設けておく必要がある。しかも、雨天時以外の時には、上記収納場所等の関係から屋内に保管しておく可能性が多いが、このような場合には、外出時に上記レインカバーの持参を忘れ、突然の雨等に際しては間に合わないことがある等の問題がある。また、幌の前端部に幌に収納可能な風雨除けを設けたものも提案されているが、上記風雨除けはベビーカー本体の一部のみを覆うことができるだけのものであり、ベビーカーにおける居住空間を十分に覆うことはできず、風雨除け機能としては不十分である。
【発明の開示】
【発明が解決しようとする課題】
【０００３】
本発明は、このような点に鑑み、屋外での突然の雨や、冷たい風からベビーカーに乗っている乳幼児を保護するため、ベビーカーの居住空間全体を覆うレインカバーを簡便に装着することができ、使用後は簡単に収納可能であり、外出時に持参忘れの心配がないようにしたレインカバー装置を得ることを目的とする。
【課題を解決するための手段】
【０００４】
請求項１に係る発明は、ベビーカー本体に装着される幌の後部に、上記幌に被せてベビーカー本体を覆うことができるようにしたレインカバーを収納する、レインカバー収納用のポケットを設けたことを特徴とする。
【０００５】
請求項２に係る発明は、請求項１に係る発明において、レインカバーは、ベビーカーに乗っている乳幼児の上方部及び前面部を覆う上面カバー部及び前面カバー部、その上面カバー部と前面カバー部に連接されベビーカー本体の左右両側面を覆う側面カバー部、及びベビーカー本体の背面を覆う背面カバーとを有し、上記背面カバーの左右両側縁部が前記側面カバーの後端縁部に着脱可能とされていることを特徴とする。
【０００６】
請求項３に係る発明は、請求項１または２に係る発明において、レインカバーの上記背面カバーの内面側が、レインカバー収納用のポケットの内部に接続されていることを特徴とする。
【０００７】
請求項４に係る発明は、請求項１乃至３のいずれかに係る発明において、レインカバーの上記背面カバーに設けられている接続片が、レインカバー収納用のポケットの内部に着脱可能としてあることを特徴とする。
【０００８】
請求項５に係る発明は、請求項４に係る発明において、レインカバーの上記背面カバーに設けられている接続片は、レインカバー収納用のポケットの内部にファスナーにより着脱可能としてあることを特徴とする。
【発明の効果】
【０００９】
本発明は、上述のように、ベビーカー本体に装着される幌の後部に、上記幌に被せてベビーカー本体を覆うことができるようにしたレインカバーを収納する、レインカバー収納用のポケットを設けたので、ベビーカーの居住空間全体を覆うレインカバーを使用後は簡単にレインカバー収納用のポケット内に収納することができ、外出時にレインカバーの持参忘れの心配をなくすことができる。
【発明を実施するための最良の形態】
【００１０】
図１は、本発明のレインカバー装置を備えたベビーカーの斜視図であって、前輪１１を有する左右一対の前脚１２、後輪１３を有する左右一対の後脚１４、ほぼＵ字状に屈曲された手押し杆１５、左右一対のアームレスト１６、及びそのアームレスト１６、１６間に掛け渡された着脱可能なガードアーム１７によってベビーカー本体が構成されている。上記手押し杆１５を構成する左右のパイプ１８の先端近傍部にはそれぞれ上記アームレスト１６の一端が枢着されており、その各アームレスト１６の他端に前脚１２の頂端部が枢着されている。また、左右の後脚１４の頂端部も上記アームレスト１６の中間部に枢着されており、その後脚１４の中間部にはく字状に形成されたブラッケット１９の一端が枢着されている。そして、そのブラッケット１９の中間位置に前記手押し杆１５を構成する左右のパイプ１８の先端がそれぞれ枢着されており、ベビーカーの展開状態において、上記ブラッケット１９の端部に形成された係合部に上記パイプ１８の下端部に摺動可能に装着されたロック部材２０が係合し、その展開状態を維持するようになっている。
【００１１】
一方、上記手押し杆１５の左右のパイプ１８には拡開可能な幌２１が装着されている。上記幌２１の後部に位置する背面幌部２１ａの外表面には、図２に示すように、レインカバーを収納可能なレインカバー収納用のポケット２２が設けられている。
【００１２】
図３は上記ベビーカーに装着された幌２１の上方からレインカバー２３を被せた状態を示す斜視図であり、図４は上記レインカバー２３の概略構成を示す側面図であって、レインカバー２３は、ベビーカーに乗っている乳幼児の頭部側を覆う上面カバー部２３ａと、上記上面カバー部２３ａの前端縁部に連接され乳幼児の前面側を覆い、一部が透明素材により構成された前面カバー部２３ｂと、上記上面カバー部２３ａ及び前面カバー部２３ｂとに連接され、ベビーカー本体の側面を覆う側面カバー部２３ｃを有している。また、上記上面カバー部２３ａの後端縁部にはベビーカー本体の背面を覆う背面カバー２３ｄの上縁部が接続されている。上記側面カバー部２３ｃの後端縁部の裏面側には面ファスナ２４が装着され、背面カバー２３ｄの両側前端縁部の表面にも面ファスナ２５が装着されており、上記側面カバー部２３ｃに設けられた面ファスナ２４を背面カバー２３ｄに設けられた面ファスナ２５に貼着することにより、背面カバー２３ｄの前端縁部を側面カバー部２３ｃの後端縁部に接続可能としてある。
【００１３】
一方、図５は前記幌２１の後部に位置する背面幌部２１ａの外表面に設けられたレインカバー収納用のポケット２２の蓋部２２ａを開き、ポケット部２２ｂ内にレインカバー２３が収納された状態を示す図であって、レインカバー収納用ポケット２２の内面側には、レインカバー２３の背面カバー２３ｄに取り付けられた接続片２６がファスナ２７を介して着脱可能に装着されている。
【００１４】
しかして、ベビーカーの通常使用時には、レインカバー２３を折り畳んだ状態でレインカバー収納用ポケット２２内に収納することにより、図１に示すような状態で使用することができる。そこで、外出中に突然雨が降り出したような場合には、レインカバー収納用ポケット２２からレインカバー２３を引き出し、上面カバー部２３ａ、前面カバー部２３ｂ、及び側面カバー部２３ｃを手押し杆１５の間から前方に出し、上記上面カバー部２３ａ、前面カバー部２３ｂ、及び側面カバー部２３ｃによりベビーカー本体の上面、前面及び側面を覆うとともに、手押し杆１５の左右のパイプ１８の外側面側に展開された側面カバー部２３ｃの後側縁部に、面ファスナ２４、２５によって背面カバー２３ｄの前縁部を装着し、上記背面カバー２３ｄによりベビーカー本体の背面を覆う。このようにしてベビーカー本体の居住空間全体を完全に覆うことができ、ベビーカーに乗っている乳幼児の保護を完全に行うことができる。
【００１５】
一方、使用後には、背面カバー２３ｄの前縁部を側面カバー部２３ｃの後側縁部に接続する面ファスナ２４、２５を互いに解放し、上面カバー部２３ａ、前面カバー部２３ｂ、及び側面カバー部２３ｃを手押し杆１５の間からベビーカー本体の後方側に引き出し、それらを背面カバー２３ｄとともに折り畳んでレインカバー収納用のポケット２２内に収納することにより携帯に便利な状態にすることができる。しかして、上記レインカバー２３は常にレインカバー収納用のポケット２２内に収納された状態にあり、次回の外出時等におけるレインカバー２３の持参忘れの心配をなくすことができる。
【００１６】
また、雨が降り出す可能性がないような場合には、レインカバー２３の背面カバー２３ｄに取り付けられた接続片２６をファスナ２７によりレインカバー収納用ポケット２２から解放し、レインカバー２３をレインカバー収納用ポケット２２から取り外し、室内に片づけて置くこともできる。また、上述のようにレインカバー２３をレインカバー収納用ポケット２２に対して着脱可能としたものにおいては、雨で濡れたレインカバー２３をレインカバー収納用ポケット２２から取り外して洗いや乾燥を容易に行うこともできる。
【００１７】
さらに、上述のように、背面カバー２３ｄの前縁部を側面カバー部２３ｃの後側縁部に面ファスナ２４、２５によって装着し、上記背面カバー２３ｄによりベビーカー本体の背面を覆うようにしたので、上記面ファスナ２４、２５を離脱することにより、レインカバー２３全体を大きな一枚の布形状に近づけることができ、収納操作時にレインカバー２３を収納可能な形状に小さく容易に折り畳むことができる。
【００１８】
なお、本発明は、カバーの材質を替えることにより、虫除けや、紫外線除け等にも適用することもできる。
【図面の簡単な説明】
【００１９】
【図１】本発明のレインカバー装置を備えたベビーカーのの斜視図。
【図２】図１に示すベビーカーにおける背面側の部分図。
【図３】レインカバーをベビーカー本体に装着した状態を示す斜視図。
【図４】レインカバーの概略構成を示す側面図。
【図５】レインカバー収納用のポケット収納されたレインカバーと上記ポケットとの接続状態を示す図。
【符号の説明】
【００２０】
２１  幌
２２  レインカバー収納用ポケット
２２ａ  蓋
２２ｂ  ポケット部
２３  レインカバー
２３ａ  上面カバー部
２３ｂ  前面カバー部
２３ｃ  側面カバー部
２３ｄ  背面カバー部
２４、２５  面ファスナ
２６  接続片
２７  ファスナ
【図１】
2007062437.tif 000003
【図２】
2007062437.tif 000004
【図３】
2007062437.tif 000005
【図４】
2007062437.tif 000006
【図５】
2007062437.tif 000007